(57)【要約】【課題】ルーフ等に穿設した取付孔２４にアンテナベース１０を確実に電気的接続できるアンテナ取付装置を提供する。【解決手段】導電金属板で形成される係止部材２０に頭部付きの導電金属で形成される取付ネジ１８を嵌挿し、導電金属で形成されるアンテナベース１０に下方から取付ネジ１８の先端部を螺入する。係止部材２０は、平面から見て一部が開口２０ａされた略Ｃ字状であるとともに上縁部から上方に向けて係止爪２０ｂ、２０ｂ…を突出し、取付ネジ１８の締め付け螺入により係止部材２０の開口２０ａを拡げる楔状部材１０ｄを設け、係止部材２０が開口２０ａを拡げた状態となることにより係止爪２０ｂ、２０ｂ…の外径が拡がり、取付孔２４の周縁部に臨むようにする。係止爪２０ｂ、２０ｂ…が、ルーフ等の裏面に拡がりつつ食い込み、単に強く押し付けるのに比較して、より確実な電気的接続が得られる。【選択図】  図７
2006157859.tif 000002
【特許請求の範囲】
【請求項１】
導電金属板で形成される係止部材に頭部付きの導電金属で形成される取付ネジを嵌挿し、導電金属で形成されるアンテナベースに下方から前記取付ネジの先端部を螺入し、前記係止部材は、平面から見て一部が開口された略Ｃ字状であるとともに上縁部から上方に向けて係止爪を突出し、前記取付ネジの締め付け螺入により前記係止部材の前記開口を拡げる開口機構を設け、前記係止部材が前記開口を拡げた状態となることにより前記係止爪の外径が拡がるように構成したことを特徴とするアンテナ取付装置。
【請求項２】
導電金属で形成されるアンテナベースから下方に取付ネジを突設し、前記取付ネジに導電金属板で形成される係止部材を嵌挿し、さらに前記取付ネジの下端部にナットを螺合し、前記係止部材は、平面から見て一部が開口された略Ｃ字状であるとともに上縁部から上方に向けて係止爪を突出し、前記ナットの締め付け螺合により前記係止部材の前記開口を拡げる開口機構を設け、前記係止部材が前記開口を拡げた状態となることにより前記係止爪の外径が拡がるように構成したことを特徴とするアンテナ取付装置。
【請求項３】
請求項１または２記載のアンテナ取付装置において、前記係止爪の外径を車体に穿設した取付孔に挿通できるように設定し、前記取付ネジまたはナットの締め付け螺合により前記係止部材が前記開口を拡げた状態となることにより前記係止爪の外径が拡がって前記取付孔の周縁部に臨むように構成したことを特徴とするアンテナ取付装置。
【請求項４】
請求項１または２記載のアンテナ取付装置において、前記アンテナベースの下面に前記係止部材の開口に臨む楔状部材を設けて前記開口機構を構成したことを特徴とするアンテナ取付装置。
【請求項５】
請求項１または２記載のアンテナ取付装置において、前記取付ネジの頭部の前記係止部材側または前記ナットの前記係止部材側を、前記係止部材の下部内径に対して上部外径が小さく下部外径が大きい円錐台部を形成して前記開口機構を構成したことを特徴とするアンテナ取付装置。
【請求項６】
請求項１または２記載のアンテナ取付装置において、前記取付ネジの頭部と前記係止部材の間に、または前記ナットと前記係止部材の間に、ブッシュを介装し、前記ブッシュを前記係止部材の下部内径に対して上部外径が小さく下部外径が大きい円錐台状に形成して前記開口機構を構成したことを特徴とするアンテナ取付装置。
【請求項７】
請求項１または２記載のアンテナ取付装置において、前記取付ネジの頭部と前記係止部材の間に、または前記ナットと前記係止部材の間に、ブッシュを介装し、前記ブッシュに前記係止部材の開口に臨む楔状部材を設けて前記開口機構を構成したことを特徴とするアンテナ取付装置。
【請求項８】
請求項１または２記載のアンテナ取付装置において、前記取付孔を平面形状が略正方形とし、前記アンテナベースの下面に前記取付孔に嵌まる平面形状が略正方形の凸部を設け、前記取付孔に前記凸部を嵌挿させて、前記取付孔に対して前記アンテナベースを位置決めおよび回り止めするように構成したことを特徴としたアンテナ取付装置。
【発明の詳細な説明】
【技術分野】
【０００１】
本発明は、車体のルーフ等にアンテナベースを取り付けるアンテナ取付装置に関するものである。
【背景技術】
【０００２】
自動車用アンテナ装置を車体のルーフ等に取り付ける従来のアンテナ取付装置の構造は、ルーフ等に穿設した取付孔に、自動車用アンテナ装置のアンテナベースから下方に突出する取付ネジを挿通し、ルーフ等の下方に突出した取付ネジに対して、下方から爪付きワッシャを嵌挿し、さらにナットを螺合して固定するものである。そこで、作業性を良くするために、爪付きワッシャとナットがネジ軸回りに相対回転可能でしかもネジ軸方向に離さないように連結することで一体化されていた。さらに、作業性を向上させる目的で、特許第２７５１１４６号により、取付ネジに爪付きワッシャを介してナットを仮止めする技術が提案されている。この提案技術によれば、仮止め後は、作業者がナットから手を離しても取付ネジからナットが脱落することがなく作業性が改善される。
【特許文献１】特許第２７５１１４６号公報
【発明の開示】
【発明が解決しようとする課題】
【０００３】
上記の特許第２７５１１４６号で提案された技術は、取付ネジにナットを仮止めした後は、ナットから作業者が手を離してもナットが脱落せず、作業性に優れたものである。しかしながら、ナットを締め付けた際に、爪付きワッシャの係止爪がルーフ等の裏面に下方から強く押し付けられて食い込むだけであり、ルーフ等の裏面の塗装膜等を必ずしも除去し得るものでない。そこで、ルーフ等と爪付きワッシャの電気的接続が不確実であり、アンテナベースをルーフ等に確実に電気的接続できるものでない。
【０００４】
本発明は、上述のごとき事情に鑑みてなされたもので、ルーフ等にアンテナベースを確実に電気的接続できるアンテナ取付装置を提供することを目的とする。
【課題を解決するための手段】
【０００５】
かかる目的を達成するために、本発明のアンテナ取付装置は、導電金属板で形成される係止部材に頭部付きの導電金属で形成される取付ネジを嵌挿し、導電金属で形成されるアンテナベースに下方から前記取付ネジの先端部を螺入し、前記係止部材は、平面から見て一部が開口された略Ｃ字状であるとともに上縁部から上方に向けて係止爪を突出し、前記取付ネジの締め付け螺入により前記係止部材の前記開口を拡げる開口機構を設け、前記係止部材が前記開口を拡げた状態となることにより前記係止爪の外径が拡がるように構成されている。
【０００６】
また、導電金属で形成されるアンテナベースから下方に取付ネジを突設し、前記取付ネジに導電金属板で形成される係止部材を嵌挿し、さらに前記取付ネジの下端部にナットを螺合し、前記係止部材は、平面から見て一部が開口された略Ｃ字状であるとともに上縁部から上方に向けて係止爪を突出し、前記ナットの締め付け螺合により前記係止部材の前記開口を拡げる開口機構を設け、前記係止部材が前記開口を拡げた状態となることにより前記係止爪の外径が拡がるように構成しても良い。
【０００７】
そして、前記係止爪の外径を車体に穿設した取付孔に挿通できるように設定し、前記取付ネジまたはナットの締め付け螺合により前記係止部材が前記開口を拡げた状態となることにより前記係止爪の外径が拡がって前記取付孔の周縁部に臨むように構成することもできる。
【発明の効果】
【０００８】
請求項１および２記載のいずれのアンテナ取付装置にあっても、取付ネジまたはナットの締め付け螺合で、開口機構により係止部材が開口を開けた状態となって係止爪の外径を拡げ、係止爪がルーフ等の裏面に拡がりつつ食い込むために、この係止爪の拡がりによりルーフ等の裏面に単に強く押し付ける従来例に比較してより確実な電気的接続が得られ、しかもアンテナベースをルーフ等に確実に固定できる。
【０００９】
請求項３記載のアンテナ取付装置にあっては、係止爪の外径を車体に穿設した取付孔に挿通できるように設定し、取付ネジまたはナットの締め付け螺合により係止部材が開口を拡げた状態となることにより係止爪の外径が拡がって取付孔の周縁部に臨むようにしたので、係止部材をルーフ等の上方から取付孔に挿通させることができる。そして、取付ネジまたはナットの締め付け螺合により、係止爪が拡がって取付孔の周縁部のルーフ等の裏面に食い込ませることができる。
【００１０】
請求項４記載のアンテナ取付装置にあっては、アンテナベースの下面に設けた楔状部材により、係止部材の径を拡大するとともに、係止部材の取付ネジ回りの回転を規制することができる。
【００１１】
請求項５記載のアンテナ取付装置にあっては、取付ネジの円錐台部により係止部材の下部側の径を拡大することができる。
【００１２】
請求項６記載のアンテナ取付装置は、係止部材と取付ネジの頭部またはナットの間にブッシュが介装されるので、取付ネジまたはナットの回転に伴い係止部材が軸回りに回転しようとするのを軽減できる。しかも、ブッシュにより、係止部材の下部側の径を拡大することができる。
【００１３】
請求項７記載のアンテナ取付装置にあっては、ブッシュに楔状部材を設けることで、係止部材の下部側の開口を楔効果により拡げることができる。
【００１４】
請求項８記載のアンテナ取付装置にあっては、ルーフ等に穿設された取付孔を略正方形とし、これに嵌挿する略正方形の凸部をアンテナベースの下面に設けるので、ルーフ等に対してアンテナベースの位置と姿勢を一定に固定することができる。
【発明を実施するための最良の形態】
【００１５】
以下、本発明の第１実施例を図１ないし図７を参照して説明する。図１は、本発明の第１実施例のアンテナ取付装置をルーフ等の取付孔に上方から挿入して仮止めする要部外観斜視図である。図２は、本発明のアンテナ取付装置の第１実施例のアンテナベースを示し、（ａ）は正面図、（ｂ）は要部右側面図、（ｃ）は底面図、（ｄ）は（ｃ）のＡ−Ａ矢視断面図、（ｅ）は（ｃ）のＢ−Ｂ矢視断面図である。図３は、係止部材を示し、（ａ）は正面図、（ｂ）は右側面図、（ｃ）は背面図、（ｄ）は底面図、（ｅ）は平面図である。図４は、取付ボルトを示し、（ａ）は正面図、（ｂ）は平面図、（ｃ）は底面図である。図５は、ルーフ等の取付孔に上方から挿入する前の状態を示し、（ａ）は要部背面図、（ｂ）は底面図である。図６は、ルーフ等の取付孔に上方から挿入して仮止めした後の状態を示し、（ａ）は要部正面図、（ｂ）は底面図である。図７は、ルーフ等に締め付け固定した状態を示し、（ａ）は要部正面図、（ｂ）は底面図、（ｃ）は取付孔に対して係止部材の係止爪の位置を示す図である。
【００１６】
従来のアンテナ取付装置と同様に、図２に示すアンテナベース１０は、筐体１２内に適宜に固定され、下側にゴムパッキン部材１４が配設される。この筐体１２内に図示しない増幅回路などが適宜に収容される。また、筐体１２にアンテナエレメント１６の基端部が固定される。
【００１７】
そして、本発明ではアンテナベース１０に対して下方から図４に示す取付ボルト１８の先端が螺入される。また、取付ボルト１８に、図３に示す係止部材２０が嵌挿されている。さらに、アンテナベース１０から信号伝送路などのケーブル２２が導出される。かかる構成で、図１に示すごとく、車体のルーフ等に穿設した取付孔２４に、上方からまずケーブル２２を挿入し、さらに取付ボルト１８および係止部材２０を挿入して仮止めを行う。
【００１８】
アンテナベース１０は導電金属で形成され、図２に示すごとく、下面に平面形状が略正方形の凸部１０ａを設け、さらにこの凸部１０ａの中央に外径が円柱状の円柱部１０ｂを設け、その中央上下方向に雌ネジ１０ｃが螺切される。また、凸部１０ａの略正方形の１ヶ所の隅と円柱部１０ｂの周面に跨り、下方が狭いテーパ状の楔状部材１０ｄが形成される。そして、凸部１０ａの楔状部材１０ｄが設けられた両隣の２ヶ所の隅には、後述する仮止め爪のための逃げ用溝１０ｅ，１０ｅが設けられる。さらに、凸部１０ａの楔状部材１０ｄが設けられたのと対向する隅側に、上下方向に貫通したケーブル孔１０ｆが穿設される。
【００１９】
そして、係止部材２０は、導電金属板で形成され、図３に示すごとく、下方が狭い略円錐台状に形成され、平面から見て一部が開口２０ａされて略Ｃ字状とされる。そして、上縁部には、上方に向けて４つの係止爪２０ｂ，２０ｂ…が突設される。さらに、上縁部には、２本の上方でテーパ状に拡がり、係止爪２０ｂ，２０ｂ…よりも長くて、その先端の外径が係止爪２０ｂ，２０ｂ…の外径よりも広い仮止め爪２０ｃ，２０ｃが突設される。なお、図３において、２０ｄは、ケーブル２２を逃げるための切り欠きである。
【００２０】
さらに、取付ネジ１８は、導電金属で形成され、図４に示すごとく、平面六角形の頭部１８ａを備え、この頭部１８ａのネジ棒側に、フランジ部１８ｂと円錐台部１８ｃが形成される。円錐台部１８ｃは、係止部材２０の自然状態における下部内径よりも上部外径が僅かに小さく、下部外形が大きく設定される。
【００２１】
アンテナベース１０は、筐体１２に予め固定されるとともにゴムパッキン部材１４が装着され、筐体１２内からアンテナベース１０のケーブル孔１０ｆを貫通してケーブル２２が導出される。そして、係止部材２０に取付ネジ１８を嵌挿し、取付ネジ１８の先端部をアンテナベース１０の雌ネジ１０ｃに螺入させて、アンテナベース１０に取付ネジ１８と係止部材２０が一体化される。ゴムパッキン部材１４には、アンテナベース１０の凸部１０ａが貫通し得る孔が設けられ、アンテナベース１０に係止部材２０および取付ネジ１８を一体化させるのになんら不具合はない。
【００２２】
かかる一体化した状態で、図１および図５に示すごとく、まずケーブル２２をルーフ等に穿設された取付孔２４に挿入し、この取付孔２４にアンテナベース１０の凸部１０ａが臨む状態とする。ここで、取付孔２４は、凸部１０ａの略正方形より僅かに大きな略正方形である。そこで、図５の状態から、取付孔２４に上方から挿入すると、仮止め爪２０ｃ，２０ｃが取付孔２４の対向する２つの隅で弾性変形して挿入を許容し、取付孔２４を通過すると、仮止め爪２０ｃ，２０ｃが弾性復帰してその先端は取付孔２４の周縁部に位置し、図６のごとき状態となる。この図６の状態では、仮止め爪２０ｃ，２０ｃによりルーフ等の取付孔２４にアンテナベース１０が仮止めされた状態である。そして、図６の状態において、取付ネジ１８がアンテナベース１０の雌ネジ１０ｃに強く螺入される。すると、まず仮止め爪２０ｃ，２０ｃの先端がルーフ等の裏面で拡がるとともに楔状部材１０ｄが係止部材２０の開口２０ａを上から楔効果により拡げ、また取付ネジ１８の円錐台部１８ｃが開口２０ａを下から拡げ、係止部材２０の略Ｃ字状の径がより大きく拡がる。この結果、図７（ｃ）に示すごとく、係止部材２０の係止爪２０ｃ，２０ｃ…は、取付孔２４の周縁部に位置し、取付ネジ１８の強い締め付けにより、係止爪２０ｃ，２０ｃ…がルーフ等の裏面に拡がりつつ食い込む。もって、ルーフ等にアンテナベース１０が固定されるとともに係止爪２０ｃ，２０ｃ…によりアンテナベース１０とルーフ等の電気的接続がなされる。
【００２３】
かかる構成にあっては、アンテナベース１０に係止部材２０と取付ネジ１８を組み付けて一体化した部材を、ルーフ等の上方から取付孔２４に挿入するだけで、アンテナベース１０をルーフ等に仮止めすることができ、仮止め作業が容易である。そして、ルーフ等の下方から取付ネジ１８をその頭部１８ａを工具で掴んで軸回りに回転させて螺入締め付けるだけで、係止部材２０の係止爪２０ｂ，２０ｂ…がルーフ等の裏面に拡がりつつ食い込み、この係止爪２０ｂ，２０ｂ…の拡がりによって単に強く押し付ける従来例に比較してより確実に電気的接続がなされ、しかも確実に固定される。また、ルーフ等の取付孔２４を略正方形とし、アンテナベース１０の下面にこの取付孔２４に嵌挿できる僅かに寸法の小さい略正方形の凸部１０ａを設けているので、ルーフ等に対してアンテナベース１０が一定の姿勢で固定される。
【００２４】
図８は、本発明の第１実施例において、取付ネジ１８の別の例を示し（ａ）はブッシュ、（ｂ）は取付ネジを示す。図４に示す取付ネジ１８に対して、図８に示すものは、円錐台状のブッシュ２６と、これに貫通する平面六角形の頭部付きの取付ネジ２８の２つの部材で構成したものである。ブッシュ２６は、上部外径が係止部材２０の下部内径より僅かに小さく、下部外径は係止部材２０の下部内径より大きく設定されることは、図４と同様である。
【００２５】
図９は、本発明の第１実施例において、取付ネジ１８の他の例を示し、（ａ）は正面図、（ｂ）は底面図である。図４に示す取付ネジ１８に対して、図９に示す取付ネジ３０は、平面六角形の頭部１８ａが省かれ、円錐台部３０ａの底面に平面六角形の有底孔３０ｂが設けられたものである。この取付ネジ３０は、平面六角形の有底孔３０ｂに六角レンチ等を挿入させて軸回りに回転させ得る。取付ネジ３０を螺入締め付けて、アンテナベース１０をルーフ等に固定したときに、図７に示すルーフ等の裏面から突出する寸法Ｌを短くするのに有効である。
【００２６】
図１０は、本発明の第１実施例において、係止部材２０と取付ネジ１８のさらに別の例を示し、（ａ）は係止部材の正面図、（ｂ）はブッシュの正面図、（ｃ）はブッシュの右側面図、（ｄ）は取付ネジの正面図である。図１０に示す係止部材３２は、開口３２ａの下端側の隙間に下方に拡がるテーパ状部３２ｂが形成される。そして、ブッシュ３４は、上部外径が係止部材３２の下部内径より僅かに小さく、下部外形が係止部材３２の下部内径より大きく設定される。また、ブッシュ３４の下端にはフランジ部３４ａが設けられ、このフランジ３４ａと円錐台状の周面に跨って、係止部材３２の開口３２ａの下端側のテーパ状部３２ｂに挿入されて開口３２ａの間隔を拡げる楔状部材３４ｂが形成される。さらに、係止部材３２とブッシュ３４を上下方向に貫通する取付ネジ３６からなる。図１０に示す構造にあっては、係止部材３２がブッシュ３４の楔状部材３４ｂの楔効果により開口３２ａの隙間を拡げることができる。
【００２７】
図１１は、本発明の第１実施例において、係止部材２０と取付ネジ１８のさらに他の例を示し、（ａ）は係止部材の正面図、（ｂ）は取付ネジの正面図である。図１１に示す係止部材３８は、下側内径が下方に拡がる円錐状部３８ａが形成される。取付ネジ４０には、係止部材３８の下側の円錐状部３８ａの下部内径よりも僅かに外径が小さい円柱部材４０ａが設けられる。図１１に示す構造にあっては、取付ネジ４０の螺入締め付けにより、円柱部材４０ａが係止部材３８の円錐状部３８ａの部分に当接して、これを拡げるように作用する。
【００２８】
次に、本発明の第２実施例を図１２ないし図１５を参照して説明する。図１２は、本発明のアンテナ取付装置の第２実施例のアンテナベースを示し、（ａ）は正面図、（ｂ）は要部右側面図である。図１３は、ナットを示し、（ａ）は正面図、（ｂ）は底面図である。図１４は、アンテナベースに係止部材とナットを一体化したものをルーフ等の取付孔に挿入する前の状態を示す正面図である。図１５は、ルーフ等に締め付け固定した状態を示す正面図である。図１２ないし図１５において、図１ないし図７と同じまたは均等な部材には同じ符号を付けて重複する説明を省略する。
【００２９】
図１２に示すアンテナベース５０で、図２に示すアンテナベース１０と相違するところは、雌ネジ１０ｃを螺切するのに代えて、アンテナベース５０から下方に取付ネジ５０ａを突設したことにある。そして、図１３に示すナット５２は、平面六角形の頭部５２ａと、フランジ部５２ｂおよび円錐台部５２ｃで構成され、中央上下方向に取付ネジ５０ａに螺合し得る雌ネジ５２ｄが螺切されている。ナット５２の円錐台部５２ｃの上部外径は、係止部材２０の下部内径より小さく、下部外径は係止部材２０の下部内径より大きく設定される。なお、第２実施例では、第１実施例と同じ係止部材２０が用いられる。
【００３０】
そして、アンテナベース５０に係止部材２０とナット５２を組み付けて一体とし、図１４に示すごとく、ルーフ等の取付孔２４に上方からケーブル２２を挿通し、この状態から強く下方に押し込む。すると、係止部材２０の仮止め爪２０ｃ，２０ｃは弾性変形して挿通が許容され、取付孔２４を通過すると弾性復帰し、取付孔２４から上方への抜けが規制されて、仮止め状態となる。そして、下方に突出した状態にあるナット５２を強く締め付けると、図１５に示すごとく、係止部材２０はその径を大きく変形させ、係止爪２０ｂ，２０ｂ…がルーフ等の裏側で取付孔２４の周縁部に拡がりつつ食い込み固定されるとともに電気的接続される。
【００３１】
なお、第２実施例にあっても、第１実施例と同様に係止部材２０の開口を拡げる開口機構を適宜に変更しても良い。そして、ナット５２の頭部５２ａを省いて平面六角形の有底孔を穿設し、またナット５２の頭部５２ａと円錐台部５２ｃとを分離する等の変更をすることもできる。
【００３２】
そして、上記実施例では、係止部材２０の仮止め爪２０ｃ，２０ｃは２本設けているが、これに限られず、２本以上設けられれば良い。そして、ルーフ等に穿設される取付孔２４は、略正方形に限られず、円形や楕円形であっても良い。この場合には、アンテナベース１０の凸部１０ａは、取付孔２４に嵌挿し得る形状であることは勿論である。
【図面の簡単な説明】
【００３３】
【図１】本発明の第１実施例のアンテナ取付装置をルーフ等の取付孔に上方から挿入して仮止めする要部外観斜視図である。
【図２】本発明のアンテナ取付装置の第１実施例のアンテナベースを示し、（ａ）は正面図、（ｂ）は要部右側面図、（ｃ）は底面図、（ｄ）は（ｃ）のＡ−Ａ矢視断面図、（ｅ）は（ｃ）のＢ−Ｂ矢視断面図である。
【図３】係止部材を示し、（ａ）は正面図、（ｂ）は右側面図、（ｃ）は背面図、（ｄ）は底面図、（ｅ）は平面図である。
【図４】取付ボルトを示し、（ａ）は正面図、（ｂ）は平面図、（ｃ）は底面図である。
【図５】ルーフ等の取付孔に上方から挿入する前の状態を示し、（ａ）は要部背面図、（ｂ）は底面図である。
【図６】ルーフ等の取付孔に上方から挿入して仮止めした後の状態を示し、（ａ）は要部正面図、（ｂ）は底面図である。
【図７】ルーフ等に締め付け固定した状態を示し、（ａ）は要部正面図、（ｂ）は底面図、（ｃ）は取付孔に対して係止部材の係止爪の位置を示す図である。
【図８】本発明の第１実施例において、取付ネジ１８の別の例を示し（ａ）はブッシュ、（ｂ）は取付ネジを示す。
【図９】本発明の第１実施例において、取付ネジ１８の他の例を示し、（ａ）は正面図、（ｂ）は底面図である。
【図１０】本発明の第１実施例において、係止部材２０と取付ネジ１８のさらに別の例を示し、（ａ）は係止部材の正面図、（ｂ）はブッシュの正面図、（ｃ）はブッシュの右側面図、（ｄ）は取付ネジの正面図である。
【図１１】本発明の第１実施例において、係止部材２０と取付ネジ１８のさらに他の例を示し、（ａ）は係止部材の正面図、（ｂ）は取付ネジの正面図である。
【図１２】本発明のアンテナ取付装置の第２実施例のアンテナベースを示し、（ａ）は正面図、（ｂ）は要部右側面図である。
【図１３】ナットを示し、（ａ）は正面図、（ｂ）は底面図である。
【図１４】アンテナベースに係止部材とナットを一体化したものをルーフ等の取付孔に挿入する前の状態を示す正面図である。
【図１５】ルーフ等に締め付け固定した状態を示す正面図である。
【符号の説明】
【００３４】
１０，５０  アンテナベース
１０ａ  凸部
１０ｃ，５２ｄ  雌ネジ
１０ｄ，３４ｂ  楔状部材
１０ｆ  ケーブル孔
１８，２８，３０，３６，４０，５０ａ  取付ネジ
１８ａ  頭部
１８ｂ，３４ａ，５２ｂ  フランジ部
１８ｃ，３０ａ，５２ｃ  円錐台部
２０，３２，３８  係止部材
２０ａ，３２ａ  開口
２０ｂ  係止爪
２０ｃ  仮止め爪
２２  ケーブル
２４  取付孔
２６，３４  ブッシュ
５２  ナット
【図１】
2006157859.tif 000003
【図２】
2006157859.tif 000004
【図３】
2006157859.tif 000005
【図４】
2006157859.tif 000006
【図５】
2006157859.tif 000007
【図６】
2006157859.tif 000008
【図７】
2006157859.tif 000009
【図８】
2006157859.tif 000010
【図９】
2006157859.tif 000011
【図１０】
2006157859.tif 000012
【図１１】
2006157859.tif 000013
【図１２】
2006157859.tif 000014
【図１３】
2006157859.tif 000015
【図１４】
2006157859.tif 000016
【図１５】
2006157859.tif 000017